(57)【要約】【課題】起こし機によって瓦が垂直状態に達したときにも、瓦を支持して瓦の垂直状態を安定させた後、瓦の支持を解放することができる重ね装置を提供すること。【解決手段】焼成後の瓦Ｗを水平状態で搬入するための搬入コンベヤ１１と、搬入コンベヤ１１によって搬入した瓦Ｗを溝付き板カム機構によって出没自在に設けられた起こし板１８により垂直状態に起こすための起こし機１２と、起こし機１２によって垂直状態に起こされた瓦Ｗを支持板３４によって４枚ごとに支持しながら搬送し、かつ、最後尾にて円運動により反転させて水平状態に積み重ねるための中間コンベヤ１３と、中間コンベヤ１３によって水平状態に積み重ねられた４枚ごとの瓦Ｗを結束工程に搬出するための搬出コンベヤ１４とを有する重ね装置。【選択図】  図１
0003191359.tif 000002
【実用新案登録請求の範囲】
【請求項１】
前工程から瓦を水平状態で搬入するための搬入コンベヤと、
搬入コンベヤによって搬入した瓦を下方両側から支持して円運動により垂直状態に起こすための起こし機と、
起こし機によって垂直状態に起こされた瓦を所定枚数ごとに支持板で支持しながら搬送し、かつ、円運動により反転させて水平状態に積み重ねるための中間コンベヤと、
中間コンベヤによって水平状態に積み重ねられた所定枚数ごとの瓦を後工程に搬出するための搬出コンベヤとを有するとともに、
起こし機が、コロを備えた起こし板と、コロを転動させることにより起こし板を瓦に向けて出すことができる形状の支持ゾーンと引っ込めることができる形状の解放ゾーンとからなる円環状のカム溝が設けられた板カムと、板カムを所定の距離だけ回転自在にするための駆動源とを有することにより、起こし板を瓦に向けて出没自在に設けたことを特徴とする重ね装置。
【請求項２】
中間コンベヤの搬出コンベヤ側が下方に傾斜して設けられたことを特徴とする請求項１記載の重ね装置。
【考案の詳細な説明】
【技術分野】
【０００１】
本考案は、瓦、タイル等を円運動によって起こした後、反転させて所定の枚数に積み重ねるための重ね装置に関する。
【背景技術】
【０００２】
従来の瓦、タイル等の重ね装置としては、前工程から瓦を水平状態で搬入するための搬入コンベヤと、搬入コンベヤによって搬入した瓦を、瓦の両側に向けて出没自在に設けられた起こしバーの爪によって下方両側から支持して円運動により垂直状態に起こすための起こし機と、起こし機によって起こされた瓦を所定枚数ごとに支持しながら搬送し、かつ、最後尾にて円運動により反転させて水平状態に積み重ねるためのスラットコンベヤと、スラットコンベヤによって積み重ねられた所定枚数の瓦を水平状態で後工程に搬出するための搬出コンベヤとを有し、起こし機の起こしバーが、起こしバーの先端に設けられたコロとしてのベアリングを断面コ字状である円環状に備えられたバーガイドに沿って転動させることにより、出没自在に設けたことを特徴とするものが知られている（例えば、特許文献１参照）。
【先行技術文献】
【特許文献】
【０００３】
【特許文献１】特開平１−１５０６２９号公報
【考案の概要】
【考案が解決しようとする課題】
【０００４】
しかし、従来の重ね装置は、起こし機の起こしバーの先端に設けられたベアリングをバーガイドに沿って転動させることにより、起こしバーを出没自在に設けていることから、瓦がスラットコンベヤ上で垂直状態に達したときには、既に起こしバーは引っ込んだ状態となって瓦の支持を解放しており、このため、瓦の垂直状態が不安定となって、瓦が搬入コンベヤ側に倒れて戻ってしまうおそれがあった。
【０００５】
本考案は、起こし機によって瓦が垂直状態に達したときにも、瓦を支持して瓦の垂直状態を安定させた後、瓦の支持を解放することができる重ね装置を提供することを目的とする。
【課題を解決するための手段】
【０００６】
本考案の第１の課題解決手段は、前工程から瓦を水平状態で搬入するための搬入コンベヤと、搬入コンベヤによって搬入した瓦を下方両側から支持して円運動により垂直状態に起こすための起こし機と、起こし機によって垂直状態に起こされた瓦を所定枚数ごとに支持板で支持しながら搬送し、かつ、円運動により反転させて水平状態に積み重ねるための中間コンベヤと、中間コンベヤによって水平状態に積み重ねられた所定枚数ごとの瓦を後工程に搬出するための搬出コンベヤとを有するとともに、起こし機が、コロを備えた起こし板と、コロを転動させることにより起こし板を瓦に向けて出すことができる形状の支持ゾーンと引っ込めることができる形状の解放ゾーンとからなる円環状のカム溝が設けられた板カムと、板カムを所定の距離だけ回転自在にするための駆動源とを有することにより、起こし板を瓦に向けて出没自在に設けたことを特徴とする重ね装置である。
【０００７】
本考案の第２の課題解決手段は、第１の課題解決手段において、中間コンベヤの搬出コンベヤ側が下方に傾斜して設けられたことを特徴とする重ね装置である。
【考案の効果】
【０００８】
本考案の第１の課題解決手段は、上記の溝付き板カム機構によって、起こし機の起こし板を瓦に向けて出没自在に設けたことから、瓦が中間コンベヤ上で垂直状態に達したときには、起こし板のコロをカム溝の支持ゾーンに設け、起こし板を瓦に向けて出した状態とし、瓦を支持して瓦の垂直状態を安定させた後、駆動源によって板カムを所定の距離だけ回転させ、起こし板のコロをカム溝の解放ゾーンに移動させることにより、起こし板を引っ込め、瓦の支持を解放することができる。
【０００９】
したがって、瓦が中間コンベヤ上で垂直状態に達したときにも、瓦を支持して瓦の垂直状態を安定させた後、瓦の支持を解放することができるため、瓦の垂直状態が不安定となって、瓦が搬入コンベヤ側に倒れて戻ってしまうことがない。
【００１０】
本考案の第２の課題解決手段は、中間コンベヤの搬出コンベヤ側が下方に傾斜して設けられたことから、中間コンベヤ上で垂直状態に起こされた瓦を搬出コンベヤ寄りに支持板で支持することができるため、いっそう、瓦が搬入コンベヤ側に倒れて戻ってしまうことがない。
【図面の簡単な説明】
【００１１】
【図１】本考案の重ね装置の側面図である。
【図２】本考案の重ね装置の起こし機の起こし板の略分解図である。
【図３】本考案の重ね装置の起こし機の起こし板の出没状態を示す部分拡大正面図である。
【図４】本考案の重ね装置の起こし機の板カムの側面図である。
【図５】本考案の重ね装置の起こし機の動作を示す側面図である。
【図６】本考案の重ね装置の起こし機の動作を示す部分拡大正面図である。
【考案を実施するための形態】
【００１２】
本考案の重ね装置１０を図面に基づいて説明する。
なお、本考案の重ね装置１０は瓦を積み重ねるための装置であるが、板状のタイルを積み重ねるための装置として用いることも可能である。
また、以下において、エアチューブ、電気配線、演算装置等の付帯部品については、その説明と図示を省略する。
【００１３】
本考案の重ね装置１０は、架台１６上に、焼成工程後の瓦Ｗを水平状態で搬入するためのベルトコンベヤからなる搬入コンベヤ１１と、搬入コンベヤ１１によって搬入した瓦Ｗを垂直状態に起こすための起こし機１２と、起こし機１２によって垂直状態に起こされた瓦Ｗを所定枚数の４枚ごとに支持しながら搬送し、かつ、最後尾にて円運動により反転させて水平状態に積み重ねるためのスラットコンベヤからなる中間コンベヤ１３と、中間コンベヤ１３によって水平状態に積み重ねられた４枚ごとの瓦Ｗを受け取って、後の結束工程に向けて搬出するためのベルトコンベヤからなる搬出コンベヤ１４とを有するものである（図１参照）。
【００１４】
搬入コンベヤ１１の両側上方には、瓦Ｗを位置決めして搬送することができるように、搬入コンベヤ１１に沿って一対のガイドローラ１５が対向して設けられている。
同様に、搬出コンベヤ１４の両側上方には、瓦Ｗを位置決めして搬送することができるように、搬出コンベヤ１４に沿って一対のガイドローラ３７が対向して設けられている。
【００１５】
起こし機１２には、それぞれに放射状に十六本の起こし板１８が等間隔に備えられた一対の起こし体１９が対向して備えられている。
一対の起こし体１９は、起こし板１８によって瓦Ｗを下方両側から支持して円運動により垂直状態に起こすためのものであり、図示しないモータと回転軸１７とを介して搬送方向に回転自在に設けられている。
なお、一対の起こし体１９の回転は、側面視において反時計回りに回転するように設けられている。
【００１６】
起こし板１８は、瓦Ｗの側面に対する緩衝を目的とした緩衝材２０を備えた長方形のベース２１と、端部に後述する板カム３２のカム溝３３を転動させるためのベアリングからなるコロ２２を備えるとともに中間部に直線上に並んだ一対のベアリングからなる小コロ２３を備えたセントラルバー２４と、一対の小コロ２３を転動させるための一対の小カム溝２５を備えるとともに後述する一対のピン２６を案内するための一対の長孔２７を備えた略長方形の小板カム２８と、セントラルバー２４よりも厚みのある一対のサイドバー２９と、一対のスモールバー３０と、カバー３１とからなる（図２（ａ）参照）。
【００１７】
起こし板１８は、ベース２１上の長手方向に小板カム２８を置き、更に小板カム２８を間に長手方向の上下にスモールバー３０をそれぞれ置き、更にサイドバー２９を小板カム２８上の両側にそれぞれ置き、更にセントラルバー２４を一対の小コロ２３がそれぞれの小カム溝２５内で転動できるように小板カム２８上の中央にあたる一対のサイドバー２９間に置き、更にその上からカバー３１を載せ、四隅をボルト４０で固定するとともに、一対のピン２６を小板カム２８のそれぞれの長孔２７に貫通させた状態で固定した上で、セントラルバー２４が長手方向の上下に移動自在となるように構成されている。
【００１８】
なお、小板カム２８の一対の小カム溝２５は、セントラルバー２４が、ベース２１の長手方向にあたる上下方向において、上方向に移動した場合には、一対の小コロ２３を介して、小板カム２８の一部が瓦Ｗの側面側に飛び出し（図３（ａ）参照）、かつ、下方向に移動した場合には、飛び出した小板カム２８の一部が瓦Ｗの側面側と反対方向に引っ込む（図３（ｂ）参照）ことが可能となる形状に設けられている。
【００１９】
このため、セントラルバー２４を長手方向に上下させることにより、一対の小コロ２３を小板カム２８のそれぞれの小カム溝２５内で転動させ、小板カム２８の一部を瓦Ｗの側面に向けて出没自在とさせ、瓦Ｗを下方両側から支持し、かつ、解放することが可能となる。
【００２０】
さらに、起こし機１２には、一対の起こし体１９のそれぞれの外側に、回転軸１７に貫通されているものの、回転軸１７の回転によっては回転しないように備えられた板カム３２が設けられている（図１、４参照）。
【００２１】
板カム３２には、起こし板１８のコロ２２を転動させるためのカム溝３３が起こし体１９側に設けられている。
カム溝３３は、ほぼ半周ずつの支持ゾーンＡと解放ゾーンＢとからなる円環状の溝であり、支持ゾーンＡが搬入コンベヤ１１方向に設けられ、解放ゾーンＢが中間コンベヤ１３方向に設けられている。
【００２２】
支持ゾーンＡは、起こし板１８のセントラルバー２４のコロ２２を押し上げることができる溝形状となっており、これにより、セントラルバー２４を上方向に移動させ、小板カム２８の一部を瓦Ｗの側面側に飛び出させて瓦Ｗを下方両側から支持することができる。
【００２３】
解放ゾーンＢは、起こし板１８のセントラルバー２４のコロ２２を押し下げることができる溝形状となっており、これにより、セントラルバー２４を下方向に移動させ、飛び出した小板カム２８の一部を瓦Ｗの側面側と反対方向に引っ込めて瓦Ｗの支持を解放することができる。
【００２４】
さらに、板カム３２には、駆動源であるエアシリンダ３９が接続され、エアシリンダ３９のロッド３８を伸縮させることにより、板カム３２を所定の距離だけ、側面視において搬送方向に回転させることができる。
なお、エアシリンダ３９のロッド３８は、始動時においては伸びた状態となっている。
また、駆動源はエアシリンダ３９に限定されない。
【００２５】
中間コンベヤ１３は、図示しないモータと回転軸１７と搬出コンベヤ１４側の回転軸３５とを介して回転自在に設けられている（図１参照）。
さらに、中間コンベヤ１３には、起こし機１２によって垂直状態に起こされた瓦Ｗを４枚ごとに支持するための支持板３４が等間隔に複数設けられている。
なお、中間コンベヤ１３は、中間コンベヤ１３の搬出コンベヤ１４側が下方に傾斜して設けられている。
【００２６】
さらに、中間コンベヤ１３の最後尾にあたる搬出コンベヤ１４側には、図示しないモータと回転軸３５とを介して回転自在に設けられるとともに、中間コンベヤ１３を間にして対向して備えられた一対の正方形状の回転板３６が設けられている。
【００２７】
一対の回転板３６は、中間コンベヤ１３の回転に同期しながら、４枚の瓦Ｗの頭の両側の一部を四隅に設けられた凹部（図示しない）によって支持して持ち上げ、中間コンベヤ１３とともに、円運動によって４枚の瓦Ｗを搬出コンベヤ１４に向けて水平状態に積み重ねるためのものである。
【００２８】
次に、本考案の重ね装置１０の動作を図面に基づいて説明する。
なお、搬入コンベヤ１１、起こし機１２、中間コンベヤ１３、一対の回転板３６、及び搬出コンベヤ１４は連動できるように自動制御されている。
【００２９】
まず、焼成工程後の瓦Ｗが、コンベヤ１１によって、一定間隔をおいて次々と水平状態で搬入される（図１参照）。
そして、瓦Ｗが搬入コンベヤ１１の最後尾まで来ると、起こし機１２が作動し、一対の起こし体１９が搬送方向に回転する。
【００３０】
そして、瓦Ｗが一対の起こし板１８によって下方両側から支持され、円運動により中間コンベヤ１３上の垂直位置Ｐに向かって次々と起こされていく（図１、５、６参照）。
【００３１】
なお、コロ２２が支持ゾーンＡにあるそれぞれの一対の起こし板１８の小板カム２８の一部は、瓦Ｗの側面側に飛び出した状態となっており、コロ２２が解放ゾーンＢにあるそれぞれの一対の起こし板１８の小板カム２８の一部は、瓦Ｗの側面側と反対方向に引っ込んだ状態となっている（図３、５（ａ）参照）。
【００３２】
また、一対の起こし体１９の回転は、新たな瓦Ｗが他の一対の起こし板１８に支持されるごとに動くように設けられている。
【００３３】
そして、最初の一対の起こし板１８αに支持された瓦Ｗが垂直位置Ｐに達すると、中間コンベヤ１３上の支持板３４によって瓦Ｗが垂直状態で支持される（図５（ａ）、６参照）。
【００３４】
このとき、垂直位置Ｐにある最初の一対の起こし板１８αのコロ２２がカム溝３３の支持ゾーンＡにあることから、小板カム２８の一部を瓦Ｗの側面側に飛び出させて瓦Ｗを両側から支持することができるため、瓦Ｗの垂直状態を安定させることができ、瓦Ｗが搬入コンベヤ１１側に倒れて戻ってしまうことがない。
【００３５】
そして、エアシリンダ３９が作動し、ロッド３８を縮めることにより、板カム３２を所定の距離だけ側面視において時計回りに回転させ、垂直位置Ｐにある最初の一対の起こし板１８αのコロ２２を、カム溝３３の支持ゾーンＡから解放ゾーンＢに移動させて小板カム２８の一部を瓦Ｗの側面側と反対方向に引っ込ませ、最初の一対の起こし板１８αによる瓦Ｗの支持を解放する（図３（ｂ）、５（ｂ）参照）。
【００３６】
そして、新しい瓦Ｗが他の一対の起こし板１８に支持されることにより、一対の起こし体１９が再び回転し、次の一対の起こし板１８βに支持された瓦Ｗが垂直位置Ｐに達し、既に支持板３４に支持されている瓦Ｗを介して垂直状態で支持される。
【００３７】
このとき、最初の一対の起こし板１８αの小板カム２８の一部が引っ込んでいるため、最初の一対の起こし板１８αは、既に支持板３４に支持されている瓦Ｗに、小板カム２８の一部を引っかけることなく回転移動することができる。
【００３８】
なお、一対の起こし体１９が再び回転し始めた際には、エアシリンダ３９が再び作動し、ロッド３８が伸びることにより、板カム３２が側面視において反時計回りに回転し、カム溝３３が元の状態に戻ることとなる。
【００３９】
さらにこのときも、垂直位置Ｐにある次の一対の起こし板１８βのコロ２２がカム溝３３の支持ゾーンＡにあることから、小板カム２８の一部を瓦Ｗの側面側に飛び出させて瓦Ｗを両側から支持することができるため、瓦Ｗの垂直状態を安定させることができ、瓦Ｗが搬入コンベヤ１１側に倒れて戻ってしまうことがない。
【００４０】
そして、以上の動きが繰り返され、中間コンベヤ１３上に４枚ごとの瓦Ｗが垂直状態で各支持板３４によって支持されながら移動していく。
なお、中間コンベヤ１３の回転は、一対の起こし体１９の回転に同期し、同じピッチで動くように設けられている。
【００４１】
また、このとき、中間コンベヤ１３の搬出コンベヤ１４側が下方に傾斜して設けられていることから、中間コンベヤ１３上の４枚ごとの瓦Ｗを搬出コンベヤ１４寄りに各支持板３４によって支持することができるため、いっそう、瓦Ｗが搬入コンベヤ１１側に倒れて戻ってしまうことがない。
【００４２】
そして、支持板３４に垂直状態に支持された４枚の瓦Ｗが中間コンベヤ１３の最後尾までに来ると、一対の回転板３６によって、４枚の瓦Ｗが支持板３４に支持されたまま、円運動によって反転させられて、搬出コンベヤ１４上に水平状態に積み重ねられる。
【００４３】
なお、一対の回転板３６の回転は、一対の起こし体１９、中間コンベヤ１３の回転に同期し、同じピッチで動くように設けられている。
そして、搬出コンベヤ１４上に積み重ねられた４枚ごとの瓦Ｗが次の結束工程に向けて次々と搬送されていく。
【符号の説明】
【００４４】
１０  重ね装置
１１  搬入コンベヤ
１２  起こし機
１３  中間コンベヤ
１４  搬出コンベヤ
１５  ガイドローラ（搬入コンベヤ）
１６  架台
１７  回転軸（起こし機側）
１８  起こし板
１９  起こし体
２０  緩衝材
２１  ベース
２２  コロ
２３  小コロ
２４  セントラルバー
２５  小カム溝
２６  ピン
２７  長孔
２８  小板カム
２９  サイドバー
３０  スモールバー
３１  カバー
３２  板カム
３３  カム溝
３４  支持板
３５  回転軸（中間コンベヤ側）
３６  回転板
３７  ガイドローラ（搬出コンベヤ）
３８  ロッド
３９  エアシリンダ
４０  ボルト
Ａ  支持ゾーン
Ｂ  解放ゾーン
Ｐ  垂直位置
Ｗ  瓦
【図１】
0003191359.tif 000003
【図２】
0003191359.tif 000004
【図３】
0003191359.tif 000005
【図４】
0003191359.tif 000006
【図５】
0003191359.tif 000007
【図６】
0003191359.tif 000008